(57)【要約】【課題】目の見えない人が、手の感触により鑑賞できる絵画の提供。【解決手段】立体絵は、凹凸表面を有する半立体画像を有し、半立体画像の画像要素の上またはその近傍の凹凸表面上に数字の形状を有する突部が一体に形成されている。立体絵には、突部の付された画像要素を説明する点字配列が余白に形成されていることが好ましい。【選択図】図１
0003134474.tif 000002
【実用新案登録請求の範囲】
【請求項１】
凹凸表面を有する半立体画像を有する立体絵において、前記半立体画像の画像要素上または前記画像要素近傍の凹凸表面上に数字の形状を有する突部が一体に形成されていることを特徴とする立体絵。
【請求項２】
前記突部の付された前記画像要素を説明する立体文字配列が一体に形成されていることを特徴とする請求項１に記載された立体絵。
【請求項３】
前記立体文字配列が点字配列であることを特徴とする請求項２に記載された立体絵。
【請求項４】
基材層と発泡層とを有する発泡性シートの発泡層を選択的に発泡させて隆起部を形成することにより前記凹凸表面および前記突部が形成されていることを特徴とする請求項１から請求項３までのいずれか１項に記載された立体絵。
【考案の詳細な説明】
【技術分野】
【０００１】
本考案は、立体絵に関するものであり、とりわけ目の見えない人が絵画を鑑賞できる立体絵に係るものである。
【背景技術】
【０００２】
発泡性シートを用いた半立体画像の作製方法が、例えば特許文献１に記載されている。この技術は、加熱により膨張する多数のマイクロカプセルを有する発泡性シートの表面に光吸収パターンを印刷して、この画像パターンに赤外線等を照射することにより、発泡カプセルを膨張させて、発泡性シート上に選択的に凹凸を生じさせ、それにより凹凸画像を形成するものである。
【０００３】
ところで、目の見えない人に絵画が理解できるように、凹凸表面により画像を形成した点字絵が知られている。このような点字絵は、従来は手作業により作製されていたが、上記技術を用いれば、容易に作製が可能である。しかし、上記技術により点字絵を作製しても凹凸画像を手で触れるだけでは、絵の理解が十分ではない場合があり、また色彩も理解できない。
【特許文献１】特開２００１−１５０８１２号公報
【考案の開示】
【考案が解決しようとする課題】
【０００４】
本考案は目の見えない人が、手の感触により鑑賞できる立体絵を提供することを目的とする。
【課題を解決するための手段】
【０００５】
本考案に係る立体絵は、凹凸表面を有する半立体画像を有する立体絵において、半立体画像の画像要素の上または画像要素の近傍の凹凸表面上に数字の形状を有する突部が一体に形成されている。突部は、アラビア数字などの数字形状を突起させたものでもよく、または点字でもよい。画像要素が小さくてその上に突部を形成できない場合にはその近傍に形成する。矢印により画像要素を示して数字を付することもできる。
【０００６】
数字形状を有する突部を付された画像要素の説明が数字に対応して付される。この説明は画像要素の色彩の説明を含むことができる。
上記説明は、絵とは別の紙に記載されて、立体絵に添付されてもよい。この場合、説明は、点字により付することが好ましい。
あるいは、立体絵の余白に、突部の付された画像要素を説明する文字配列を付することが好ましい。文字配列は、立体文字配列（文字に相当する部分が、基板面から突起しているもの）とすることが好ましい。この立体文字は、点字であることが好ましいが、通常の文字（漢字、平仮名、カタカナ、アルファベットなど）を突起させたものであってもよく、また、点字と、通常の文字を突起させた立体文字とを併記するように形成してもよい。または、点字配列と立体でない通常印刷の文字とを併記することもできる。この立体文字は、半立体画像の近傍、例えば下側の余白に半立体画像とともに形成されることが好ましい。
【０００７】
本考案に係る立体絵は、基材層と発泡層とを有する発泡性シートの発泡層を発泡させて隆起部を形成することにより凹凸表面および突部が形成されることが好ましい。
【０００８】
本考案に係る立体絵によれば、目の見えない人も、画像の表面凹凸を手で触れることにより、絵を鑑賞することが可能になり、さらに、数字で示された説明を参照することにより、絵の理解が容易になる。
【実施例】
【０００９】
以下では、概略図面を参照して、本考案をより詳細に説明する。
【００１０】
図１に本考案に係る立体絵の一例の平面模式図を示す。  
この立体絵２の半立体画像４には、空、星が、雲、鳥、海、舟、山、木、魚、畑、岸などの画像要素６が凹凸表面により表現されている。これらを画像要素６の表面または近傍には、数字の形状をした突部８が形成されている。この数字形状の突部８は、それが付された画像要素６を説明するために形成される。画像要素６に矢印を付して数字を付しても良い。半立体画像４の下側の余白には、これらの画像要素を説明する点字配列１０が形成されている。これらの点字配列１０には、以下のような説明がなされている。すなわち、「１：空には星がある、２：雲がある、３：その下を鳥が飛ぶ、４：海がある、５：舟が浮かぶ、６：山があり木が生えている、７：海の中を魚が泳ぐ、８：畑があり作物がある、９：海が陸に接するところを岸という」。この説明には、画像要素６の色彩に関する説明を加えることもできる。
【００１１】
以下、図２を参照して本考案に係る立体絵２の作製方法を説明する。基材層１４と基材層上に積層された発泡層１６とを有する発泡性シート１２を準備する。発泡層１６は、多数のマイクロカプセルと、これらのマイクロカプセルを覆う被覆部とを備えており、マイクロカプセルは、プロパンなどの低沸点気化性物質を塩化ビニルデン−アクリロニトリルなどの熱可塑性樹脂でカプセル化したものである。このマイクロカプセルは、所定の温度まで加熱されるとマイクロカプセル内の物質が気化して、マイクロカプセルが膨張する。
立体絵にする画像をスキャナによりコンピュータに取り込み、形成すべき凹凸表面形状を決定し、それに基づき光吸収性パターン１８を決定する。その際、前記数字形状の突部８を形成するように設計する。光吸収性パターン１８は、光吸収性の低いパターンと、光吸収性の高いパターンとの組合せで構成されている。光吸収性の大小は、着色の濃淡（濃度）によって実現される。
基材層１４の下側の表面に、光吸収性パターン１８を示す薄層を印刷により形成する。光吸収性パターン１８に対して、赤外線等を照射すると、光吸収性パターン１８に吸収されて熱が発生し、その熱により、発泡層１６内のマイクロカプセルが膨張して、選択的に隆起部が生じる。光吸収性パターンの濃淡により熱の発生量に大小が生じ、それにより大きく隆起する部分と、隆起の小さいまたは隆起しない部分が形成され、その隆起高さの相違により画像（吸収パターン）に対応した凹凸表面（突部および点字配列による説明を含む）が形成される。
上記半立体画像は、例えばコニカミノルタ社製「立体プリンター」により作製することができる。
【００１２】
本考案に係る立体絵は、目の見えない人が、例えば名画などの絵画を鑑賞するため単独の絵画として提供できる。また、また絵画集のように冊子にすることもでき、また、絵本の一部とすることもできる。
【００１３】
以上述べたように、本考案による立体絵の構成を一例として説明したが、この構成に限定されるものではなく、請求の範囲から離脱することなく種々の変更が可能であることは言うまでもない。
【図面の簡単な説明】
【００１４】
【図１】本考案に係る立体絵の一例の正面模式図。
【図２】本考案に係る立体絵の一例の断面模式図。
【符号の説明】
【００１５】
２  立体絵
４  半立体画像
６  画像要素
８  突部
１０  点字配列
１２  発泡性シート
１４  基材層
１６  発泡層
１８  光吸収パターン
【図１】
0003134474.tif 000003
【図２】
0003134474.tif 000004